(57)【要約】【課題】多機能化された電子機器において、機能の切り換えを感覚的に認識させる。【解決手段】記録再生機構が内蔵された装置本体１１と、装置本体１１の一面１１ａ側に設けられたレンズ部１３と、装置本体１１の他面１２側に設けられ、レンズ部１３より取り込まれた画像を表示する表示部２４と、装置本体１１の一面１１ａ側に移動自在に取り付けられレンズ部１３を保護する保護カバー１４と、保護カバー１４と接続されると共に装置本体１１にスライド自在に係合されることにより保護カバー１４と一体にレンズ部１３を開閉するホルダ３１と、一端に係合部６１が設けられ、一端６１側が可撓性を有するように支持されたクリック板３４と、クリック板３４の係合部６１に係合されるクリック球３３とを備えた保護カバー開閉機構３０とを有し、保護カバー開閉機構３０は、保護カバー１４がスライドされると、クリック球３３がクリック板３４を摺動し、レンズ部１３を閉塞する位置で係合部６１と係合することによりクリック感を持たせた。【選択図】図４
2006162709.tif 000002
【特許請求の範囲】
【請求項１】
記録媒体が収納されるとともに該記録媒体に対して情報信号の記録及び／又は再生を行う記録及び／又は再生機構が内蔵された装置本体と、
上記装置本体の一面側に設けられ、画像情報を取り込むレンズ部と、
上記装置本体の他面側に設けられ、上記レンズ部より取り込まれた画像を表示する表示部と、
上記装置本体の一面側に移動自在に取り付けられ上記レンズ部を保護する保護カバーと、
上記保護カバーと接続されると共に上記装置本体にスライド自在に係合されることにより上記保護カバーと一体に上記レンズ部を開閉するホルダと、一端に係合部が設けられ、該一端側が可撓性を有するように支持されたクリック板と、上記クリック板の係合部に係合されるクリック球とを備えた保護カバー開閉機構とを有し、
上記保護カバー開閉機構は、上記保護カバーがスライドされると、上記クリック球が上記クリック板を摺動し、上記レンズ部を閉塞する位置において上記係合部と係合されることによりクリック感を持たせた記録及び／又は再生装置。
【請求項２】
上記保護カバー開閉機構は、一端を上記保護カバー側に係合され、他端を上記装置本体側に係合されることにより、上記保護カバーを上記レンズ部の開方向又は閉方向へ付勢するコイルバネを有することを特徴とする請求項１記載の記録及び／又は再生装置。
【請求項３】
上記装置本体側には、上記ホルダが突き当てられることにより上記保護カバーの上記レンズ部を開放する方向へのスライドを規制する規制部が形成されていることを特徴とする請求項１記載の記録及び／又は再生装置。
【請求項４】
上記装置本体側には、上記保護カバーが突き当てられることにより上記保護カバーの上記レンズ部を閉塞する方向へのスライドを規制する規制片が設けられていることを特徴とする請求項１記載の記録及び／又は再生装置。
【請求項５】
上記クリック球は、上記装置本体側に固定して配置され、
上記クリック板は上記保護カバーに、長手方向を上記保護カバーのスライド方向と平行に設けられるとともに長手方向に揺動可能に取り付けられていることを特徴とする請求項１記載の記録及び／又は再生装置。
【請求項６】
上記クリック板の他端側に第２の係合部が形成され、上記保護カバーがスライドされると上記クリック球は上記レンズ部を開放する位置において該第２の係合部と係合されることによりクリック感を持たせたことを特徴とする請求項１記載の記録及び／又は再生装置。
【発明の詳細な説明】
【技術分野】
【０００１】
本発明は、カメラモジュールが内蔵された携帯用の小型電子機器に関し、特にディスク状記録媒体に対してオーディオデータや画像データの記録、再生を行う記録及び／又は再生装置に関する。
【背景技術】
【０００２】
従来よりカメラモジュールが内蔵された電子機器が広く普及している。この種の電子機器には、カメラモジュールの不使用時におけるレンズ表面の汚損を防止するレンズカバーが設けられたものがある。この電子機器は、機器本体内に撮像レンズが組み込まれるとともに、撮像レンズを保護し汚損を防止するレンズカバーが設けられている。
【０００３】
機器本体には、前面部に開口部が形成されると共に一又は複数の撮像レンズが取り付けられ、開口部より外方に臨まされている。また、撮像レンズの後方には撮像レンズを透過して入射された光を受けるＣＣＤ等の撮像素子が配設されている。
【０００４】
この撮像レンズを保護するレンズカバーは、撮像レンズよりもやや大きい面積を有する板状体からなる。このレンズカバーは、機器本体内に支持されることにより、機器本体の前面部をスライド可能とされている。また、レンズカバーは、開閉操作用の操作レバーが形成され、この操作レバーが機器本体外へ突出している。従って、レンズカバーは、ユーザが操作レバーを操作することにより機器本体の前面部をスライドされ、撮像レンズを外方に臨ませる開口部を覆う閉塞位置とこの開口部を開放する開放位置とにわたって移動される。
【０００５】
そして、このような電子機器は、撮影の際にはレンズカバーの操作レバーを操作して、撮像レンズの全面を開放する開放位置までレンズカバーをスライドさせた後、撮影に移る。撮影終了後は、レンズカバーを、撮像レンズの全面を覆う閉塞位置までスライドさせ、撮像レンズが塵埃等により汚損されることを防止する。
【０００６】
【特許文献１】特開平１０−１４８８７１号公報
【発明の開示】
【発明が解決しようとする課題】
【０００７】
ところで、撮像装置以外の機器にカメラモジュールを内蔵させることにより多機能化された電子機器においては、カメラ機能を使用する場面とカメラ以外の機能を使用する場面とがあり、この切り換えを電子機器の操作者に感覚的に認識させることができれば使用感を向上させることができ、便利である。
【０００８】
また、カメラ機能を使用していない場合に、レンズカバーが開放されてしまうと撮像レンズを傷つけるおそれがあることから、誤ってレンズカバーが開放されない機構が望まれる。一方、レンズカバーをスライド操作する場合には、スムーズに移動させることが望ましい。
【０００９】
そこで、本発明は多機能化された電子機器において、カメラ機能とそれ以外の機能の切り換えを感覚的に認識させることができ、またカメラ機能を使用していない場合にはレンズカバーが不用意に開くことなく、さらにレンズカバーを操作する際にはスムーズにスライドさせることができる記録及び／又は再生装置を提供することを目的とする。
【課題を解決するための手段】
【００１０】
上述した課題を解決するために、本発明にかかる記録及び／又は再生装置は、記録媒体が収納されるとともに該記録媒体に対して情報信号の記録及び／又は再生を行う記録及び／又は再生機構が内蔵された装置本体と、上記装置本体の一面側に設けられ、画像情報を取り込むレンズ部と、上記装置本体の他面側に設けられ、上記レンズ部より取り込まれた画像を表示する表示部と、上記装置本体の一面側に移動自在に取り付けられ上記レンズ部を保護する保護カバーと、上記保護カバーと接続されると共に上記装置本体にスライド自在に係合されることにより上記保護カバーと一体に上記レンズ部を開閉するホルダと、一端に係合部が設けられ、該一端側が可撓性を有するように支持されたクリック板と、上記クリック板の係合部に係合されるクリック球とを備えた保護カバー開閉機構とを有し、上記保護カバー開閉機構は、上記保護カバーがスライドされると、上記クリック球が上記クリック板を摺動し、上記レンズ部を閉塞する位置において上記係合部と係合されることによりクリック感を持たせたことを特徴とするものである。
【発明の効果】
【００１１】
このような記録及び／又は再生装置によれば、保護カバーがレンズ部を閉塞したときに操作者にクリック感を与えることにより、操作者は撮像機能を終了させ、情報再生機能に切り替わったことを体感することができる。したがって、レンズ部を備えることにより多機能化された記録及び／又は再生装置において、操作者は機能の切り換えを感覚的に認識することができる。さらに、記録及び／又は再生装置は、コイルバネによって保護カバーのスムーズなスライド操作を実現すると共にスライド操作の終了時に操作者にクリック感を与えることにより、操作感、使い勝手の向上を図ることができる。
【発明を実施するための最良の形態】
【００１２】
以下、本発明が適用された記録及び／又は再生装置について、図面を参照しながら詳細に説明する。この記録及び／又は再生装置１０は、図１に示すように、光磁気ディスク２を略矩形のカートリッジ本体３内に回転可能に収納したディスクカートリッジ１を記録媒体に用いる装置であり、このディスクカートリッジ１と略同じ大きさにまで小型化されている。このディスクカートリッジ１は、一対のハーフを突き合わせ結合したカートリッジ本体３に、光磁気ディスク２を回転可能に収納している。記録媒体となる光磁気ディスク２の中心部には、ディスク記録再生装置側のディスク回転駆動機構を構成するディスクテーブルが係合するセンタ孔が設けられると共に、このセンタ孔を閉塞するようにしてディスクテーブルに内蔵されたマグネットに磁気吸引されるクランピングプレート２ａが取り付けられている。
【００１３】
この光磁気ディスク２を回転可能に収納するカートリッジ本体３には、前面側略中央の互いに対向する面に、光磁気ディスク２の信号記録領域の一部を径方向に亘って外部に臨ませる記録再生用の開口部４ａ，４ｂが形成されている。一方の開口部４ａは、光磁気ディスク２の光磁気記録層に対して磁界を印加する磁気ヘッドをカートリッジ本体３内部に進入させるためのものであり、他方の開口部４ｂは、光ピックアップを光磁気ディスク２に臨ませるためのものである。
【００１４】
カートリッジ本体３の前面３ａ側には、記録再生用の開口部４ａ，４ｂを開閉するための断面略コ字状のシャッタ部材５がスライド可能に取り付けられている。このシャッタ部材５は、記録及び／又は再生装置１０に装填されたときに限って、記録再生用の開口部４ａ，４ｂを開放し、非使用時には開口部４ａ，４ｂを閉塞する。カートリッジ本体３の下面中央部には、光磁気ディスク２のクランピングプレート２ａを外部に臨ませる略円形のディスク駆動用の開口部６が設けられている。ディスクカートリッジ１が記録及び／又は再生装置１０に装填されたとき、この開口部６からは、ディスクテーブルが進入し、光磁気ディスク２のセンタ孔には、ディスクテーブルが係合すると共に、クランピングプレート２ａがディスクテーブルに磁気吸引される。
【００１５】
以上のようなディスクカートリッジ１は、カートリッジ本体３の前面と直交する一側面３ｂを挿入端として、記録及び／又は再生装置１０に装填される。すると、シャッタ部材５は、ディスクカートリッジ１の挿入方向と平行な方向に、カートリッジ本体３の前面３ａに沿ってスライドし、記録再生用の開口部４ａ，４ｂを開放し、光磁気ディスク２の記録再生を可能な状態にする。
【００１６】
なお、カートリッジ本体３内に収納する記録媒体としては、光磁気ディスク２の他に、ピットパターンによってデータが予め記録された再生専用の光ディスク、記録層に有機色素材料を用いデータの追記を可能とする追記型の光ディスク、記録層に相変化材料を用いデータの書換を可能とする書換型の光ディスク、磁気ディスク等を用いるようにしてもよい。
【００１７】
以上のようなディスクカートリッジ１を記録媒体に用いる記録及び／又は再生装置１０について図１乃至図３を参照して説明すると、この記録及び／又は再生装置１０は、ディスクカートリッジ１が装着される装置本体１１と、この装置本体１１に対して回動可能に取り付けられる蓋体１２とを備え、蓋体１２が開いた状態にあるとき、ディスクカートリッジ１の挿脱を行うことができるようになっている。
【００１８】
装置本体１１には、その主面部１１ａに、撮像部１３が設けられている。この撮像部１３は、一方の側面部１１ｂ側に偏倚した位置に設けられており、外部に臨まされたレンズ部１３ａがカバーシャッタ１４により閉塞されている。このカバーシャッタ１４は、後述するシャッタ開閉機構３０の捻りコイルバネ３５により、撮像部１３を閉塞する方向と開く方向の２方向に付勢されており、使用時に限ってユーザの手により開かれるようになっている。カバーシャッタ１４は、撮像部１３の使用時以外のときには閉塞されるようにすることで、レンズ部１３ａ等に塵埃、指紋等の異物が付着しないようにしている。なお、この撮像部１３は、レンズ部１３ａの他に、ミラー部１３ｂとフラッシュ用のＬＥＤ（Light Emitting Diode）等で構成された発光部１３ｃが設けられている。
【００１９】
また装置本体１１の主面部１１ａには、カバーシャッタ１４が撮像部１３を閉塞する方向にスライドされたときに、カバーシャッタ１４の上側縁１４ａと突き当てられるカバー部材２６が設けられている。カバー部材２６は、カバーシャッタ１４の上側縁１４ａが突き当てられることにより撮像部１３の閉塞方向へのスライドを規制する規制辺２６ａが形成されている。規制辺２６ａは、カバーシャッタ１４の上側縁１４ａの形状に対応した形状を備え、カバーシャッタ１４が突き当てられることにより、上側縁１４ａと隙間なく当接される。またカバー部材２６とカバーシャッタ１４とは、当接されることにより略面一とされる。
【００２０】
さらに、装置本体１１の主面部１１ａは、撮像部１３より下面部１１ｅ側に、後述するカバーシャッタ１４をスライド操作するシャッタ開閉機構３０が配設される開口部２７が形成されている。装置本体１１には、この開口部２７を介してカバーシャッタ１４とシャッタ開閉機構３０とが連結される。
【００２１】
また、装置本体１１には、撮像部１３が設けられた一方の側面部１１ｂと反対側の他方の側面部１１ｃ側であって、蓋体１２のヒンジが設けられた上面部１１ｄには、シャッタボタン１５と電源ボタン１６が設けられている。この装置本体１１では、シャッタボタン１５と撮像部１３のレンズ部１３ａの位置を反対側に設けるようにすることで、撮影時に、シャッタボタン１５を押す側の手がレンズ部１３ａに映り込まないようにしている。
【００２２】
また、装置本体１１の撮像部１３が設けられた側の側面部１１ｂには、上面部１１ｄ側に、イヤホン、ヘッドホン等の電気音響変換器の接続コードが接続される第１のジャック部１７が設けられている。また、この側面部１１ｂと反対側の側面部１１ｃには、操作部の一部である音響信号を聞くときの音量ボタン１８やパーソナルコンピュータ等の情報処理装置からオーディオデータ等のコンテンツデータをダウンロードする際のダウンロードボタン１９が設けられている。更に、この側面部１１ｃの下面部１１ｅ側には、電源となる二次電池等が収納されるバッテリ収納部を開閉するバッテリ蓋２０が設けられている。
【００２３】
装置本体１１の下面部１１ｅには、蓋体１２を閉塞状態に維持するためのロック機構が設けられると共に、このロック機構に連携した蓋体１２のロック解除をするための蓋体１２のロック解除スライダ２１が設けられている。また、この装置本体１１の下面部１１ｅの他方の側面部１１ｃ側には、パーソナルコンピュータ等からオーディオデータ等のコンテンツデータをダウンロードするための接続コードが接続される第２のジャック部２２が設けられている。更に、この装置本体１１の下面部１１ｅは、充電時等に装置本体１１を立てかけるスタンドに装着する際の位置決め凹部２３が略対称位置に２カ所設けられている。
【００２４】
以上のような装置本体１１に取り付けられる蓋体１２は、装置本体１１の上面部１１ｄにヒンジが設けられ、このヒンジを回動支点として回動操作される。この蓋体１２の主面部１２ａには、図３に示すように、撮像部１３が設けられた一方の側面部１１ｂ側に、ＬＣＤ（LiquidCrystal Display）等で構成された表示部２４と、装置本体１１を操作する操作部２５が設けられている。表示部２４には、ディスクカートリッジ１に保存されているオーディオデータの再生中にあっては、再生時間、再生中のトラックナンバ、タイトル名等の再生中のオーディオデータに関連する関連データが表示され、また、撮像部１３で被写体を撮像するときには撮像部１３が撮影している映像が表示される。この表示部２４の下側に設けられる操作部２５は、この装置の主機能を実行するためのメインとなる操作部であり、回転スイッチ２５ａの中央部に４方向に傾倒するレバースイッチ２５ｂが設けられている。この操作部２５では、例えば、ディスクカートリッジ１に保存された複数のオーディオデータや画像データの中から所望のオーディオデータや画像データを選択し、また、選択したオーディオデータの再生開始や停止、順方向又は逆方向トラックジャンプ操作等を行うことができる。
【００２５】
次いで、上述した撮像部１３を開閉するカバーシャッタ１４のシャッタ開閉機構３０について説明する。シャッタ開閉機構３０は、装置本体１１の主面部１１ａに設けられた開口部２７を介してカバーシャッタ１４と連結されるホルダ３１と、装置本体１１の主面部１１ａの裏面部１１ｆに配設されホルダ３１の移動をガイドするガイド板３２と、ガイド板３２に固着されカバーシャッタ１４のスライド操作に応じてクリック感を与えるクリック球３３と、カバーシャッタ１４に設けられてクリック球３３に係合されるクリック板３４と、一端をホルダ３１に係止され他端をガイド板３２に係止されることにより、カバーシャッタ１４に対して撮像部１３の閉塞方向及び開放方向に付勢力を与える捻りコイルバネ３５とを備える。
【００２６】
カバーシャッタ１４は、図４、図５（Ａ）及び図５（Ｂ）に示すように、表面１４ｂ側には開閉操作時におけるユーザの指掛け部となる複数の突起部３７が形成され、裏面１４ｃ側にはホルダ３１と装置本体１１を介して連結される連結部３８が突設されている。連結部３８には内部にネジ溝が形成されており、ホルダ３１を挿通されたネジ３９が螺着されることにより、カバーシャッタ１４とホルダ３１とを連結させる。
【００２７】
また、カバーシャッタ１４は、裏面１４ｃにクリック板３４が配設される収納凹部４０が形成されている。収納凹部４０は、カバーシャッタ１４のスライド方向を長手方向とする略矩形状に形成され、クリック板３４よりも若干長手方向に長く形成されている。また収納凹部４０は、長手方向の一端側及び他端側にはクリック板３４に形成された穿孔５９，６０が係合される係合突部４１，４１が形成されている。
【００２８】
なお、カバーシャッタ１４にはスライド方向に沿って、装置本体１１の開口部２７を介して主面部１１ａ側に突出されたガイド板３２のガイドレール５５をガイドするガイド溝４２が形成されている。
【００２９】
このカバーシャッタ１４と装置本体１１を介して連結されるホルダ３１は、装置本体１１の裏面１１ｆ側に配設されたガイド板３２にスライド可能に係合されることにより、装置本体１１の開口部２７を介してカバーシャッタ１４と連結され、カバーシャッタ１４をスライド操作するものである。ホルダ３１は、図６に示すように、スライド方向に延設された第１、第２のガイド片４５，４６と、これら第１、第２のガイド片４５，４６の間に形成されたカバーシャッタ１４との接続部４７とを有する。
【００３０】
図６（Ａ）に示すように、第１のガイド片４５は、ガイド板３２に形成されたガイド溝５１に係合されるガイド突部４５ａが形成され、第２のガイド片４６はガイド板３２に形成されたガイド溝５２に係合されるガイド突条４６ａが形成されている。ホルダ３１は、これらガイド突部４５ａ及びガイド突条４６ａがガイド溝５１，５２にガイドされることによりカバーシャッタ１４のスムーズなスライド操作を可能としている。
【００３１】
ホルダ３１の接続部４７には、カバーシャッタ１４の連結部３８に螺着されるネジ３９が挿通する一対の挿通孔４８ａ，４８ａが穿設された接続片４８，４８が第１、第２のガイド片４５，４６の延設方向と直交する方向に離間して穿設されている。接続片４８，４８の挿通孔４８ａ，４８ａは、ホルダ３１がガイド板３２に係合されることにより、ガイド板３２の矩形開口５３，５３を介して装置本体１１の開口部２７より主面部１１ａ側に臨まされる。そしてホルダ３１は、図４に示すように、装置本体１１の裏面部１１ｆ側よりネジ３９が各挿通孔４８ａを挿通すると共に、開口部２７を介して主面部１１ａ側に配設されたカバーシャッタ１４の連結部３８のネジ溝に螺着されることにより、装置本体１１を挟んでカバーシャッタ１４と連結される。したがって、ホルダ３１は、カバーシャッタ１４がユーザによりスライド操作されると、共にスライドされることとなる。
【００３２】
また図６（Ｂ）に示すように、ホルダ３１の接続部４７にはカバーシャッタ１４に付勢力を付与する捻りコイルバネ３５の一端が係止される係止突部４９が形成されている。これにより、ホルダ３１はカバーシャッタ１４が操作部１３を閉塞又は開放する方向にスライドされると、捻りコイルバネ３５によってスライド方向に付勢され、カバーシャッタ１４のスムーズなスライド操作を実現できる。
【００３３】
このホルダ３１をスライドをガイドするガイド板３２は、図４に示すように、装置本体１１の裏面部１１ｆ側に接着されている。ガイド板３２は、図４及び図７に示すように、カバーシャッタ１４のスライド方向に沿って、ホルダ３１の第１、第２のガイド片４５，４６に形成されたガイド突部４５ａ，ガイド突条４６ａが係合されるガイド溝５１，５２が形成されている。また、ガイド板３２は、ホルダ３１の接続部４７の移動領域に亘って接続部４７の接続片４８を装置本体１１の開口部２７側に臨ませる一対の矩形開口５３，５３が形成されている。この矩形開口５３，５３は、接続片４８の挿通孔４８ａに対応してガイド溝５１，５２の形成方向と直交する方向に離間して形成されている。また矩形開口５３，５３は、装置本体１１の下面部１１ｅ側の端部に、ホルダ３１の接続片４８が突き当てられることによりホルダ３１及びカバーシャッタ１４の撮像部１３を開放する方向へのスライドを規制する規制壁５４が立設されている。
【００３４】
またガイド板３２は、図８に示すように、一対の矩形開口５３，５３の互いに遠い方の側縁部に長手方向に沿って、装置本体１１に接着されることにより開口部２７から装置本体１１の主面部１１ａ側に突出されるガイドレール５５，５５が形成されている。このガイドレール５５，５５は、カバーシャッタ１４に形成されたガイド溝４２が係合し、カバーシャッタ１４のスライドをガイドする。一対の矩形開口５３，５３の間には、カバーシャッタ１４の収納凹部４０の移動領域に対応して摺動部５６が形成されている。摺動部５６は、ガイド板３２が装置本体１１の裏面部１１ｆ側に接着されることにより、開口部２７から主面部１１ａ側に臨まされるとともに、クリック球３３を保持し、カバーシャッタ１４に取り付けられたクリック板３４と摺動させるものである。すなわち、図８に示すように、摺動部５６は、主面部１１ａ側に凹部５８が形成され、この凹部５８にクリック球３３が収納される。このときクリック球３３は、凹部５８に半分程度収納され、摺動部５８より突出して収納される。したがって、クリック球３３は、カバーシャッタ１４がスライドされると、カバーシャッタ１４に取り付けられたクリック板３４と摺動する。なお、クリック球３３は、凹部５８に接着剤等によって固着され、カバーシャッタ１４のスライド操作時等に誤って凹部５８より落下することを防止されている。
【００３５】
クリック球３３に摺動されるクリック板３４は、カバーシャッタ１４の収納凹部４０に収納されることによりカバーシャッタ１４と一体にスライドされ、クリック球と係合することによりスライド位置に応じて操作者にクリック感を与えるものである。このクリック板３４は、図４及び図９に示すように、やや可撓性を有する薄い金属板からなり、カバーシャッタ１４のスライド方向を長手方向とした略矩形板上に形成され、長手方向の両端部に、収納凹部４０の一端側及び他端側に突設された係合突部４１，４１に係合される穿孔５９，６０が形成されている。穿孔５９，６０のうち、カバーシャッタ１４の下端側に形成された穿孔６０は、長手方向を長軸とした楕円形に形成されている。またクリック板３４は、長手方向の中央から下端側にやや偏倚した位置に、クリック球３３が係合する係合孔６２が穿設された係合部６１が形成されている。係合部６１は、クリック板３４の主面部３４ａよりガイド板３２の摺動部５６側に張り出す第１の傾斜面６１ａと、主面部３４ａと略平行とされるとともに係合孔６２が形成された水平面６１ｂと、主面部３４ａ側に下がる第２の傾斜面６１ｃとからなる。またクリック板３４は、穿孔６０及び係合部６１が形成された端部は、カバーシャッタ１４の収納凹部４０に固定されず、穿孔６０が長孔形状とされることにより収納凹部４０の長手方向に揺動可能とされている。
【００３６】
このようなクリック板３４は、カバーシャッタ１４が操作部１３を閉塞する装置本体１１の上面部１１ｄ側にスライドされると、主面部３４ａをクリック球３３が摺動していき、操作部１３を閉塞する間際になると、クリック球３３が係合部６１の第１の傾斜面６１ａを摺動する。このとき、クリック板３４は、係合部６１が下方に撓まされる。そしてクリック板３４は、カバーシャッタ１４が操作部１３を完全に閉塞する位置までスライドされると、クリック球３３が水平面６１ｂの係合孔６２に係合されることにより操作者に対してクリック感を与える。このときカバーシャッタ１４は上側縁１４ａが装置本体１１の主面部１１ａに設けられたカバー部材２６の規制片と隙間なく当設される。
【００３７】
カバーシャッタ１４が撮像部１３を閉塞したときに操作者にクリック感を与えることにより、操作者はカメラ機能を終了させ、音楽プレーヤー機能に切り替わったことを体感することができる。したがって、撮像部１３を備えることにより多機能化された記録及び／又は再生装置１０において、操作者は機能の切り換えを感覚的に認識することができ、操作感、使い勝手を向上させることができる。
【００３８】
また、クリック板３４は、クリック球３３が水平部６１ｂに乗り上げると、係合部６１が下方に撓まされると共に係合部６１が形成された側の端部が収納凹部４０を長手方向に穿孔６０の長軸方向の長さ分だけ移動する。したがって、クリック球３３とクリック板３４の係合孔６２との取付精度に誤差が生じた場合にも、クリック球３３が係合孔６２近傍に位置されると、クリック板３４が長手方向に移動して確実に係合孔６２に係合させることができる。
【００３９】
また、カバーシャッタ１４が撮像部１３を閉塞させたときにクリック球３３とクリック板３４とが係合されることから、記録及び／又は再生装置１０を操作中に、誤ってカバーシャッタ１４が開放され、撮像部１３が外方に露出することを防止することができる。
【００４０】
なお、クリック板３４は、カバーシャッタ１４の下方側に係合部６１を設けるほか、カバーシャッタ１４の上方側にも設けることにより、撮像部１３を開放したときにもクリック感を与えるようにしてもよい。これにより操作者は音楽プレーヤ機能から撮像装置の機能に切り替わったことを体感し、機能の切り換えを感覚的に認識することができる。
【００４１】
また、ガイド板３２には、一端をホルダ３１の係止突部４９に係止された捻りコイルバネ３５の他端側が係止される突起部６５が形成されている。ホルダ３１及びガイド板３２は、捻りコイルバネ３５に係止されることにより、カバーシャッタ１４がスライドされると、ホルダ３１の係止突部４９が突起部６５の横を通過する度に付勢方向が反転される。したがってカバーシャッタ１４は、スライド方向に付勢されることから、操作感を向上させることができる。
【００４２】
なお、以上のようなシャッタ開閉機構３０においては、カバーシャッタ１４側にクリック球３３を設け、装置本体１１の主面部１１ａ側にクリック板３４を設けるようにしてもよい。
【００４３】
次いで、以上のようなシャッタ開閉機構３０の動作を説明する。記録及び／又は再生装置１０が音楽プレーヤとして使用されているときには、レンズ部１３ａを塵埃や指紋等の付着を防止するため、図１に示すように、撮像部１３は、カバーシャッタ１４によって閉塞されている。このときカバーシャッタ１４は、図１０に示すように、ホルダ３１が捻りコイルバネ３５によって撮像部１３を閉塞する図１０中矢印Ｃ方向へ付勢されることにより、装置本体１１の上面部１１ｄ側に位置し、上側縁１４ａと装置本体１１の主面部１１ａに設けられたカバー部材２６の規制辺２６ａと隙間なく当接されている。また、カバーシャッタ１４は、裏面１４ｃに取り付けられているクリック板３４の係合孔６２にクリック球３３が係合されている。したがって、誤ってカバーシャッタ１４が開放され、撮像部１３が外方に露出することが防止されている。
【００４４】
そして、記録及び／又は再生装置１０が撮像装置として使用される際には、撮像部１３を露出させるために、図２に示すように、カバーシャッタ１４が装置本体１１の下面部１１ｅ側にスライドされる。このとき、カバーシャッタ１４は、裏面１４ｃのガイド溝４２，４２が、開口部２７より主面部１１ａ側に突出されたガイド板３２のガイドレール５５，５５にガイドされ、また、カバーシャッタ１４とともにスライドされるホルダ３１は、第１、第２のガイド片４５，４６が、ガイド板３２に形成されたガイド溝５１，５２にガイドされる。そして、カバーシャッタ１４とともにホルダ３１が下面部１１ｅ側にスライドされていくと、ホルダ３１の係止突部４９がガイド板３２の突起部６５の横を通過することにより捻りコイルバネ３５が反転されるため、カバーシャッタ１４は、図１１に示すように、撮像部１３を開放する図１１中矢印Ｏ方向に付勢される。これにより、記録及び／又は再生装置１０は、カバーシャッタ１４のスライド操作をスムーズに行うことができる。なお、カバーシャッタ１４は、ホルダ３１の接続片４８がガイド板３２の規制壁５４に突き当てられることにより、撮像部１３を開放する方向へのスライドが規制される。
【００４５】
またカバーシャッタ１４は、捻りコイルバネ３５がホルダ３１を図１１中矢印Ｏ方向へ付勢していることから、画像撮影中に誤ってカバーシャッタ１４が装置本体１１の上面部１１ｄ側へスライドして撮像レンズ１３ａを覆ってしまうことを防止する。
【００４６】
記録及び／又は再生装置１０は、カバーシャッタ１４がスライドされ撮像部１３が外方に露出されたことを検出すると、撮像装置としての機能が立ち上がり、撮像レンズ１３ａに取り込まれた画像を表示部２４に表示する。そしてシャッタボタン１５が押圧操作されると、取り込まれた画像を記録し、光磁気ディスク２に保存する。また、適宜、発光部１３ｃを発光させることによりフラッシュ撮影を行う。
【００４７】
撮像が終了すると、レンズ部１３ａ等に塵埃、指紋等の異物が付着しないように、再度カバーシャッタ１４がスライド操作され、撮像部１３が閉塞される。このとき、上述したように、カバーシャッタ１４は、裏面１４ｃのガイド溝４２，４２が、開口部２７より主面部１１ａ側に突出されたガイド板３２のガイドレール５５，５５にガイドされまた、カバーシャッタ１４とともにスライドされるホルダ３１は、第１、第２のガイド片４５，４６が、ガイド板３２に形成されたガイド溝５１，５２にガイドされる。そして、カバーシャッタ１４とともにホルダ３１が上面部１１ｄ側にスライドされていくと、ホルダ３１の係止突部４９がガイド板３２の突起部６５の横を通過することにより捻りコイルバネ３５が反転されるため、カバーシャッタ１４は、図１０に示すように、撮像部１３を閉塞する図１０中矢印Ｃ方向に付勢される。これにより、記録及び／又は再生装置１０は、カバーシャッタ１４のスライド操作をスムーズに行うことができる。なお、カバーシャッタ１４は、上側縁１４ａがカバー部材２６の規制辺２６ａに突き当てられることにより、撮像部１３を閉塞する方向へのスライドが規制される。
【００４８】
また、カバーシャッタ１４の裏面１４ｃに設けられたクリック板３４は、主面部３４ａをクリック球３３が摺動していき、操作部１３を閉塞する間際になると、クリック球３３がクリック板３４の主面部３４から係合部６１の第１の傾斜面６１ａを摺動するため、係合部６１が下方に撓まされる。そしてクリック板３４は、カバーシャッタ１４が操作部１３を完全に閉塞する位置までスライドされると、クリック球３３が水平面６１ｂの係合孔６２に係合されることにより操作者に対してクリック感を与える。
【００４９】
カバーシャッタ１４が撮像部１３を閉塞したときに操作者にクリック感を与えることにより、操作者はカメラ機能を終了させ、音楽プレーヤー機能に切り替わったことを体感させることができる。したがって、撮像部１３を備えることにより多機能化された記録及び／又は再生装置１０において、操作者は機能の切り換えを感覚的に認識することができる。さらに、記録及び／又は再生装置１０は、捻りコイルバネ３５によってカバーシャッタ１４のスムーズなスライド操作を実現すると共にスライド操作の終了時に操作者にクリック感を与えることにより、操作感、使い勝手の向上を図ることができる。
【図面の簡単な説明】
【００５０】
【図１】カバーシャッタにより撮像部が閉塞された記録及び／又は再生装置を示す斜視図である。
【図２】カバーシャッタにより撮像部が開放された記録及び／又は再生装置を示す斜視図である。
【図３】本発明が適用された記録及び／又は再生装置を背面側から示す斜視図である。
【図４】シャッタ開閉機構を示す分解斜視図である。
【図５】カバーシャッタを示す平面図である。
【図６】ホルダを示す平面図である。
【図７】ガイド板を示す平面図である。
【図８】ガイド板が接着された装置本体を主面側から示す平面図である。
【図９】クリック板を示す斜視図である。
【図１０】カバーシャッタが撮像部を閉塞した状態におけるシャッタ開閉機構を示す平面図である。
【図１１】カバーシャッタが撮像部を開放した状態におけるシャッタ開閉機構を示す平面図である。
【符号の説明】
【００５１】
１  ディスクカートリッジ、１０  記録及び／又は再生装置、１１  装置本体、１２  蓋体、１３  撮像部、１４  カバーシャッタ、２６  カバー部材、２７  開口部、３０  シャッタ開閉機構、３１  ホルダ、３２  ガイド板、３３  クリック球、３４  クリック板、３５  捻りコイルバネ
【図１】
2006162709.tif 000003
【図２】
2006162709.tif 000004
【図３】
2006162709.tif 000005
【図４】
2006162709.tif 000006
【図５】
2006162709.tif 000007
【図６】
2006162709.tif 000008
【図７】
2006162709.tif 000009
【図８】
2006162709.tif 000010
【図９】
2006162709.tif 000011
【図１０】
2006162709.tif 000012
【図１１】
2006162709.tif 000013